(57)【要約】      （修正有）【課題】自動ドア装置に対する内外部の通信を中継することができる自動ドア装置を提供する。【解決手段】自動ドア装置１００は、建造物の出入り口、及び、建造物内に形成される部屋の出入り口に配置される。自動ドア装置１００は、ドア１０１Ｒ、１０１Ｌ、ドア開閉機構１０３、ドア開閉制御部１０５、無線通信部１０７、電源回路１０９を有している。無線通信部１０７は、デフォルトゲートウェイとして、自動ドア装置１００が形成する通信ネットワーク上の上位の自動ドア装置１００が設定されている。自動ドア装置１００を用いることによって、ビルディング等の建造物において、物理的、現実的な領域の階層構造と合致した通信ネットワークを形成する。【選択図】図２
2019124073.tif 000002
【特許請求の範囲】
【請求項１】
所定の領域について分割しようとする位置に配置される自動ドア装置であって、
前記自動ドア装置に対して内側の領域から外側の領域に向かう通信、及び、前記外側の領域から前記内側の領域に向かう通信を中継する無線通信部、
を有する自動ドア装置。
【請求項２】
請求項１に係る自動ドア装置において、さらに、
前記自動ドア装置を駆動する電源部、
を有し、
前記無線通信部は、
前記電源部から電力を受給すること、
を特徴とする自動ドア装置。
【請求項３】
請求項１又は請求項２に係る自動ドア装置において、
前記無線通信部は、
前記自動ドア装置が形成する通信ネットワークにおいて上位に位置する他の前記自動ドア装置の前記無線通信部に対して通信を送受信すること、
を特徴とする自動ドア装置。
【請求項４】
請求項１又は請求項２に係る自動ドア装置において、
前記無線通信部は、
リピータとして機能すること、
を特徴とする自動ドア装置。
【請求項５】
請求項１又は請求項２に係る自動ドア装置において、
前記無線通信部は、
同一内容の通信を受信した場合には、任意のいずれかの前記通信以外の前記通信を破棄すること、
を特徴とする自動ドア装置。
【請求項６】
請求項３に係る自動ドア装置において、
前記自動ドア装置が形成する前記通信ネットワークは、
前記自動ドア装置が配置される建造物において、物理的、現実的な領域の階層構造と合致した構造を有していること、
を特徴とする自動ドア装置。
【請求項７】
請求項３又は請求項６に係る自動ドア装置において、
前記無線通信部は、
前記通信ネットワークにおいて上位に位置する他の前記自動ドア装置をデフォルトゲートウェイとして設定していること、
を特徴とする自動ドア装置。
【発明の詳細な説明】
【技術分野】
【０００１】
本発明は、自動ドア装置に関し、特に、自動ドア装置に対する内外部の通信を中継することができるものに関する。
【背景技術】
【０００２】
従来の自動ドア装置について、図１０に示す。複数の自動ドア構成機器１０、１４、１６、１８、２０と、調整器２６が、バス１２を介して通信可能である。各機器の１０、１４、１６、１８、２０動作パラメータの調整用のメニュー情報が、例えば調整器２６のフラッシュメモリ３８に記憶されている。調整器２６が、各機器１０、１４、１６、１８、２０に、それぞれに割り当てられている認識符号をバス１２を介して送信することを要求し、機器１０、１４、１６、１８、２０から送信された認識符号に対応するメニュー情報をフラッシュメモリから読み出し、メニュー情報に基づく各機器の設定画面を調整器２６の表示部に表示する。
【０００３】
これにより、１台の調整器によって、自動ドア装置の複数の自動ドア構成機器のパラメータを調整する（以上、特許文献１参照）。
【先行技術文献】
【特許文献】
【０００４】
【特許文献１】特開２００７−２３１６６５号公報
【発明の概要】
【発明が解決しようとする課題】
【０００５】
前述の自動ドア構成機器１０等には、以下に示すような改善すべき点がある。自動ドア構成機器１０では、プロトコル変換器２４を介して、調整器２６と所定の通信を実行する。しかし、自動ドア構成機器１０が配置されている出入り口の内部と外部との間の一般的な通信を中継することはできない、という改善すべき点がある。
【０００６】
自動ドア構成機器１０が配置されている出入り口の内部と外部との間の一般的な通信を中継するためには、別途、ルータ等、内外部の通信を中継する装置を配置する必要があり、設置の手間、及び、設置のコストが発生する。
【０００７】
そこで、本発明は、自動ドア装置に対する内外部の通信を中継することができる自動ドア装置を提供することを目的とする。
【発明の効果】
【０００８】
本発明における課題を解決するための手段及び発明の効果を以下に示す。
【０００９】
本発明に係る自動ドア装置は、所定の領域について分割しようとする位置に配置される自動ドア装置であって、前記自動ドア装置に対して内側の領域から外側の領域に向かう通信、及び、前記外側の領域から前記内側の領域に向かう通信を中継する無線通信部、を有する。
【００１０】
これにより、自動ドア装置を配置するだけで、自動ドア装置を介した通信ネットワークを容易に形成できる。
【００１１】
本発明に係る自動ドア装置は、さらに、前記自動ドア装置を駆動する電源部、
を有し、前記無線通信部は、前記電源部から電力を受給すること、を特徴とする。
【００１２】
これにより、無線通信部を配置するために、別途、電源を配置する必要がないため、低コスト、かつ、簡易な構成で、通信ネットワークを形成できる。
【００１３】
本発明に係る自動ドア装置では、前記無線通信部は、リピータとして機能すること、を特徴とする。
【００１４】
これにより、簡易な構成の無線通信部を配置するだけで、自動ドア装置を介した通信ネットワークを容易に形成できる。
【００１５】
本発明に係る自動ドア装置では、前記無線通信部は、同一内容の通信を受信した場合には、任意のいずれかの前記通信以外の前記通信を破棄すること、を特徴とする。
【００１６】
これにより、リピータ機能を有する自動ドア装置を配置した通信ネットワークを形成する場合であっても、同一内容の通信を重複して送信することがない効率的な自動ドア装置を介した通信ネットワークを容易に形成できる。
【００１７】
本発明に係る自動ドア装置では、前記無線通信部は、前記自動ドア装置が形成する通信ネットワークにおいて上位に位置する他の前記自動ドア装置の前記無線通信部に対して通信を送受信すること、を特徴とする。
【００１８】
これにより、自動ドア装置が形成する通信ネットワークに階層構造を容易に形成できる。
【００１９】
本発明に係る自動ドア装置では、前記自動ドア装置が形成する前記通信ネットワークは、前記自動ドア装置が配置される建造物において、物理的、現実的な領域の階層構造と合致した構造を有していること、を特徴とする。
【００２０】
これにより、現実のセキュリティレベルと通信ネットワーク上のセキュリティレベルとを容易に合致させることができるため、セキュリティレベルを間違えて設定することを防止できる。
【００２１】
本発明に係る自動ドア装置では、前記無線通信部は、前記通信ネットワークにおいて上位に位置する他の前記自動ドア装置をデフォルトゲートウェイとして設定していること、を特徴とする。
【００２２】
これにより、簡単に、通信ネットワークにおいて上位に位置する他の前記自動ドア装置を設定できる。
【図面の簡単な説明】
【００２３】
【図１】本発明に係る自動ドア装置の一実施例である自動ドア装置１００を示す図である。
【図２】自動ドア装置１００のハードウェア構成を示す図である。
【図３】自動ドア装置１００の配置を示す図である。
【図４】自動ドア装置１００の配置を示す図である。
【図５】本発明に係る自動ドア装置の一実施例である自動ドア装置２００及び自動ドア装置２１０を示す図である。
【図６】自動ドア装置２００のハードウェア構成を示す図である。
【図７】自動ドア装置２１０のハードウェア構成を示す図である。
【図８】自動ドア装置２００の配置を示す図である。
【図９】自動ドア装置２１０の配置を示す図である。
【図１０】従来の自動ドア装置を示す図である。
【発明を実施するための形態】
【００２４】
以下、本発明の実施例について、図面を参照しながら詳細に説明していく。
【実施例１】
【００２５】
本発明に係る自動ドア装置について、図１に示す自動ドア装置１００を例に説明する。自動ドア装置１００は、ある領域について分割しようとする位置に配置され自動ドア装置１００に対して内側の領域と外側の領域を形成するとともに、各領域間を移動する移動物体の通行を制御するものである。
【００２６】
第１  ハードウェア構成
自動ドア装置１００は、建造物の出入り口、及び、建造物内に形成される部屋の出入り口に配置される。自動ドア装置１００は、他の自動ドア装置１００から取得したデータをルーティングしながらその他の自動ドア装置１００に送信する。
【００２７】
図２に示すように、自動ドア装置１００は、ドア１０１Ｒ、１０１Ｌ、ドア開閉機構１０３、ドア開閉制御部１０５、無線通信部１０７、電源回路１０９を有している。
【００２８】
ドア１０１Ｒ、１０１Ｌは、建造物の部屋の内外を区画する壁に形成されたドア開口Ａに設置される。
【００２９】
ドア開閉機構１０３は、ドア開閉制御部１０５からの指示に従ってドア１０１Ｒ、１０１Ｌを開閉動作させる。ドア開閉機構１０３は、ドア開口Ａの上部縁に沿って形成される無目Ｂ内に配置される。ドア開閉機構１０３は、ドア１０１Ｒ、１０１Ｌを開閉動作させるためのモータ、ベルト、リンク機構等のドア駆動部、ドア駆動部の動作を制御するドアコントローラ、電気錠を形成するソレノイド、電気錠コントローラ等を有している。
【００３０】
ドア開閉制御部１０５は、ドア開口Ａを通過しようとする人を検知し、ドア１０１Ｒ、１０１Ｌを開閉動作させる。ドア開閉制御部１０５は、室内起動センサ、室外起動センサ等を有している。ドア開閉制御部１０５は、無目Ｂ内に配置される。
【００３１】
無線通信部１０７は、自動ドア装置１００が配置されている部屋の内側と外側との無線通信を接続する。無線通信部１０７は、いわゆるルータに相当する。なお、無線通信としては、例えば、ｗｉｆｉ、Ｚｉｇｂｅｅ（商標）、Ｂｌｕｅｔｏｏｔｈ（登録商標）、エネルギーハーベスティング（環境発電）無線通信技術であるＥｎＯｃｅａｎ（商標）、サブギガ帯無線通信を利用することができる。無線通信部１０７は、デフォルトゲートウェイとして、自動ドア装置１００が形成する通信ネットワーク上の上位の自動ドア装置１００が設定されている。自動ドア装置１００が形成する通信ネットワークについては後述する。
【００３２】
電源回路１０９は、自動ドア装置１００のドア開閉機構１０３、ドア開閉制御部１０５に電力を供給するとともに、無線通信部１０７に電力を供給する。電源回路１０９は、ドア開閉機構１０３、ドア開閉制御部１０５に電力を供給する電源から電力の取得するため、独自の電源を必要としない。つまり、簡易な構成で無線通信部１０７を有する自動ドア装置１００を形成することができる。
【００３３】
第２  自動ドア装置１００が形成する通信ネットワーク
自動ドア装置１００における通信ネットワークについて説明する。自動ドア装置１００は、ビルディング等の建造物において、階層的に形成された領域の出入り口に配置される。例えば、図３に示すように、ビルディングのｎ階において、領域Ｘ、領域Ｙ、領域Ｚが設定されている場合、領域Ｘ、領域Ｙ、領域Ｚのそれぞれの入口に自動ドア装置１００が配置される。以降、領域Ｘ、領域Ｙ、領域Ｚのそれぞれの入口に配置される自動ドア装置１００を、自動ドア装置１００−Ｘ、自動ドア装置１００−Ｙ、自動ドア装置１００−Ｚとする。
【００３４】
領域Ｘ、領域Ｙ、領域Ｚは、物理的、現実的な構造として、領域Ｚは領域Ｙに包含されて位置し、また、領域Ｘと領域Ｙ（領域Ｚを含む）とは、互いに独立して位置する。つまり、領域Ｙ、領域Ｚにおいては、領域Ｚは領域Ｙに包含されて位置するので、領域Ｚの上位に領域Ｙが位置する。
【００３５】
このような、領域Ｘ、領域Ｙ、領域Ｚに自動ドア装置１００−Ｘ、自動ドア装置１００−Ｙ、自動ドア装置１００−Ｚを配置した場合、自動ドア装置１００−Ｘ、自動ドア装置１００−Ｙ、自動ドア装置１００−Ｚが形成する通信ネットワークは、領域の物理的な位置関係において上位に位置する、つまり、より広い領域に対応して配置されている自動ドア装置１００−Ｙが、自動ドア装置１００−Ｚよりも通信ネットワーク上の上位に位置するように形成される。
【００３６】
ここで、領域Ｘの出入り口に配置されている自動ドア装置１００−Ｘは、領域Ｘの内部からの通信を、外部、例えば、階下の自動ドア装置１００（図示せず）へ送信する。つまり、領域Ｘの内部からの通信は、自動ドア装置１００−Ｘを介して、外部へ送信される。
【００３７】
また、領域Ｚの出入り口に配置されている自動ドア装置１００−Ｚは、領域Ｚの内部からの通信を、領域Ｙの出入り口に配置されている自動ドア装置１００−Ｙを送信する。つまり、領域Ｚの内部からの通信は、自動ドア装置１００−Ｚを介して、領域Ｚの外部に位置する自動ドア装置１００−Ｙへ送信される。
【００３８】
さらに、領域Ｙの出入り口に配置されている自動ドア装置１００−Ｙは、領域Ｚの出入り口に配置されている自動ドア装置１００−Ｚからの通信、及び、領域Ｚを除く領域Ｙの内部からの通信を、外部、例えば、階下の自動ドア装置１００（図示せず）へ送信する。つまり、自動ドア装置１００−Ｚからの通信、及び、領域Ｚを除く領域Ｙの内部からの通信は、自動ドア装置１００−Ｙを介して、外部へ送信される。
【００３９】
なお、ビルディングに配置される自動ドア装置１００のうち最も上位に位置するものは、外部との出入り口に配置される自動ドア装置１００であり、例えば、図４に示すような地上階の出入り口に配置される自動ドア装置１００−Ｇとなる。最上位の自動ドア装置１００−Ｇにおいては、外部との通信中継が主機能となるため、一般的なルータと同様に、一般的なルーティングテーブルを用いた通信中継を実行する。
【００４０】
このように、自動ドア装置１００を用いることによって、ビルディング等の建造物において、物理的、現実的な領域の階層構造と合致した通信ネットワークを容易に形成することができる。
【００４１】
また、ビルディング等の建造物において、物理的、現実的な領域の階層構造と、自動ドア装置１００が形成する通信ネットワークの構造とを合致させることによって、現実のセキュリティレベルと通信ネットワーク上のセキュリティレベルとを容易に合致させることができるため、セキュリティレベルを間違えて設定することを防止できる。例えば、図４において、領域Ｚに秘密情報を保持している場合、自動ドア装置１００−Ｚの無線通信部１０７に、内外部からのアクセスを制限するホワイトリスト、ブラックリスト等を設定する等の秘密情報へアクセスを制限するセキュリティ設定をする。物理的、現実的な領域の現実のセキュリティレベルと通信ネットワーク上のセキュリティレベルとを合致させることができるので、誤設定や設定忘れを防止することができる。
【００４２】
なお、ビルディング内において自動ドア装置１００を用いて形成される通信ネットワークは、内部ネットワークとなるため、予め、ビルディング内で使用する自動ドア装置１００に対して、ルーティングテーブルを設定しておけばよい。また、通信ネットワーク上の位置情報としては、例えば、ＩＰアドレスを使用する。
【実施例２】
【００４３】
前述の実施例１における自動ドア装置１００を例に説明する。自動ドア装置１００では、自動ドア装置１００に対して内側の領域と外側の領域との間の通信をルーティングにより中継するものであった。一方、本実施例における自動ドア装置２００、自動ドア装置２１０は、自動ドア装置２００に対して内側の領域と外側の領域との間の通信を単純に中継するものである。なお、以下においては、実施例１と同様の構成については、実施例１と同符号を付し、詳細な説明を省略する。
【００４４】
第１  ハードウェア構成
図５に示すように、自動ドア装置２００は、建造物内に設置される出入り口に配置される。自動ドア装置２１０は、建造物の外部との出入りに利用される主たる出入り口に配置される。自動ドア装置２００及び自動ドア装置２１０は、互いに、通信ネットワークを構成しており、各種データを送受信する。
【００４５】
１．自動ドア装置２００及び自動ドア装置２１０のハードウェア構成
【００４６】
図６に示すように、自動ドア装置２００は、ドア１０１Ｒ、１０１Ｌ、ドア開閉機構１０３、ドア開閉制御部１０５、無線通信部２０７、電源回路１０９を有している。
【００４７】
無線通信部２０７は、自動ドア装置２００が配置されている出切り口の内側と外側との無線通信を接続する。無線通信部２０７は、他の自動ドア装置２００からデータを取得し、必要な場合は通信出力を増幅して出力する、いわゆるリピータとして機能する。なお、無線通信としては、例えば、ｗｉｆｉ、携帯電話通信、Ｚｉｇｂｅｅ（商標）、Ｂｌｕｅｔｏｏｔｈ（商標）、ＥｎＯｃｅａｎ（商標）、サブギガ帯無線通信等の近距離無線通信を利用することができる。
【００４８】
図７に示すように、自動ドア装置２１０は、ドア１０１Ｒ、１０１Ｌ、ドア開閉機構１０３、ドア開閉制御部１０５、無線通信部２１７、電源回路１０９を有している。
【００４９】
無線通信部２１７は、建造物の内側と建造物の外部との無線通信を中継する。無線通信部２１７は、他の自動ドア装置２００からデータを取得し、デフォルトゲートウェイとして機能する。無線通信部２１７の動作については後述する。
【００５０】
第２  自動ドア装置２００及び自動ドア装置２１０が形成する通信ネットワーク
自動ドア装置２００及び自動ドア装置２１０が形成する通信ネットワークについて説明する。自動ドア装置２１０は、ビルディング等の建造物に形成された出入り口に配置される。例えば、実施例１（図３参照）と同様に、図８に示すように、ビルディングのｎ階における領域Ｘ、領域Ｙ、領域Ｚのそれぞれの入口に自動ドア装置２００が配置される。以降、領域Ｘ、領域Ｙ、領域Ｚのそれぞれの入口に配置される自動ドア装置２００を、自動ドア装置２００−Ｘ、自動ドア装置２００−Ｙ、自動ドア装置２００−Ｚとする。
【００５１】
なお、領域Ｘ、領域Ｙ、領域Ｚは、実施例１と同様、物理的、現実的な構造として、領域Ｚは領域Ｙに包含されて位置し、また、領域Ｘと領域Ｙ（領域Ｚを含む）とは、互いに独立して位置する。つまり、領域Ｙ、領域Ｚにおいては、領域Ｚは領域Ｙに包含されて位置するので、領域Ｚの上位に領域Ｙが位置する。
【００５２】
このような、領域Ｘ、領域Ｙ、領域Ｚに自動ドア装置２００−Ｘ、自動ドア装置２００−Ｙ、自動ドア装置２００−Ｚを配置した場合、自動ドア装置２００−Ｘ、自動ドア装置２００−Ｙ、自動ドア装置２００−Ｚは、リピータとして互いの通信を中継する、つまり、互いに対等な通信ネットワークが形成される。
【００５３】
ここで、領域Ｘの出入り口に配置されている自動ドア装置２００−Ｘは、領域Ｘの内部からの通信を受信し、リピータとして他の自動ドア装置２００又は自動ドア装置２１０へ中継送信する。他の自動ドア装置２００−Ｙ、自動ドア装置２００−Ｚにつても、同様である。
【００５４】
ただし、例えば、領域Ｙに位置する端末Ｔ２００からの通信は、経路ＲＹに示すように、領域Ｙの出入り口に配置されている自動ドア装置２００−Ｙに受信され、中継送信される。また、経路ＲＺに示すように、領域Ｚの出入り口に配置されている自動ドア装置２００−Ｚも、端末Ｔ２００からの通信を受信し、中継送信することもある。さらには、自動ドア装置２００−Ｚが中継送信した通信を、自動ドア装置２００−Ｙが、さらに、中継送信する場合もあり得る。つまり、１つの端末Ｔ２００からの通信を複数の自動ドア装置２００が中継送信する場合がある。
【００５５】
図９に示すように、ビルディングの主たる出入り口、例えば、地上階の出入り口、に配置される自動ドア装置２１０は、ビルディング外部との通信中継が主機能となるため、一般的なルータと同様に、一般的なルーティングテーブルを用いた通信中継を実行する。
【００５６】
また、自動ドア装置２１０の無線通信部２１７は、複数の自動ドア装置２００から、同一の通信を受信する可能性があるため、同一の通信を受信したか否かを判断し、既に外部に向かって中継送信した通信と同一の通信を受信した場合には、破棄する。これにより、同一の通信に対して生じ得る複数の中継送信を防止することができる。つまり、効率的な中継送信を行える。
【００５７】
このように、自動ドア装置２００、自動ドア装置２１０を用いることによって、ビルディング等の建造物において、建造物の内部と外部とを中継する通信ネットワークを容易に形成することができる。
【００５８】
また、ビルディング等の建造物の内部と外部とを中継する通信ネットワークを形成することによって、建造物全体のセキュリティレベルを容易に設定することができる。
【００５９】
さらに、自動ドア装置２００、自動ドア装置２１０を用いて建造物内の通信ネットワークを形成することによって、ルーティングテーブルの設定等、煩雑な設定をすることなく建造物内の通信ネットワークを容易に形成できる。
【００６０】
［その他の実施形態］
（１）上位の自動ドア装置１００の設定：前述の実施例１においては、上位の自動ドア装置１００の設定として、デフォルトゲートウェイとして上位の自動ドア装置１００を設定するとしたが、上位の自動ドア装置１００の通信ネットワーク上の位置情報を特定できるものであれば、例示のものに限定されない。例えば、ルーティングテーブルに、上位の自動ドア装置１００のみを設定するようにしてもよい。
【００６１】
（２）自動ドア装置１００の無線通信部１０７の位置情報：前述の実施例１においては、自動ドア装置１００の無線通信部１０７の位置情報をＩＰアドレスによって特定するとしたが、自動ドア装置１００の無線通信部１０７の位置情報を特定できるものであれば、例示のものに限定されない。自動ドア装置１００が形成する通信ネットワークは内部ネットワークになるため、例えば、独自に設定した位置情報を用いて特定するようにしてもよい。
【００６２】
（３）電源回路１０９：前述の実施例１においては、電源回路１０９は自動ドア装置１００の無目Ｂに配置されるとしたが、電源回路１０９を配置できる場所であれば例示の場所に限定されない。
【００６３】
（４）無線通信部２１７の処理：前述の実施例２においては、無線通信部２１７はある通信について、最初に受信したもの以外の通信については破棄するとしたが、任意のいずれかの前記通信以外の前記通信を破棄するものであれば、例示のものに限定されない。例えば、所定期間内において、最も通信状態がよい通信以外のものを破棄するようにしてもよい。また、選択した複数の通信以外の通信、例えば所定期間毎に選択した一つの通信以外の通信については破棄するようにしてもよい。
【００６４】
（４）建造物内部の通信ネットワークと建造物外部の通信ネットワーク：前述の実施例１および実施例２においては、建造物内部の通信ネットワーク、建造物外部の通信ネットワークについて、通信規格について特に限定していないが、建造物内部と建造物外部とで異なる通信規格を用いるようにしてもよい。この場合、ゲートウェイに相当する自動ドア装置の無線通信部において通信規格を変換するようにする等、通信変換部を配置するようにすればよい。
【００６５】
（５）建造物内部の通信ネットワークの形成：前述の実施例２においては、自動ドア装置２００、及び、自動ドア装置２１０によって、建造物内部の通信ネットワークを形成したが、リピータ機能を有する自動ドア装置２００によってのみ、建造物内部の通信ネットワークを形成するようにしてもよい。また、自動ドア装置２１０のみによって、建造物内部の通信ネットワークを形成するようにしてもよい。これにより、自動ドア装置２００のみ、又は、自動ドア装置２１０のみといった同一の自動ドア装置によって建造物内の通信ネットワークを形成できるため、設置や設定を簡素化できる。
【００６６】
（６）ゲートウェイとしての自動ドア装置２１０の数：前述の実施例２においては、建造物に１つの自動ドア装置２１０が配置されるとしたが、外部との出入り口が複数存在し、各出入り口に自動ドア装置２１０が配置される等、複数の自動ドア装置２１０がゲートウェイとして配置される場合、自動ドア装置２１０同士が確実な通信方式で送信状態を認識し、補完し合ってデータを送信、例えば、最も早くデータを受信した自動ドア装置２１０がデータを送信するようにしてもよい。これにより、データの未着を防止することができる。
【００６７】
また、各自動ドア装置２１０がクラウド上のサーバを定期監視し、送信したデータの到着、未着を認識し、未着であれば補完的に送信するようにしてもよい。クラウド上のサーバとしては、例えば、建造物に配置される自動ドア装置の状態を管理するサーバを用いてもよいし、専用のサーバを用意するようにしてもよい。これにより、データの未着を防止することができる。
【産業上の利用可能性】
【００６８】
本発明に係る自動ドア装置は、例えば、ビルディング内の部屋の出入り口に用いることができる。
【符号の説明】
【００６９】
１００      自動ドア装置
１０１Ｒ    ドア
１０１Ｌ    ドア
１０３      ドア開閉機構
１０５      ドア開閉制御部
１０７      無線通信部
１０９      電源回路
Ａ          ドア開口
Ｂ          無目
２００      自動ドア装置
２０７      無線通信部
２１０      自動ドア装置
２１７      無線通信部
【図１】
2019124073.tif 000003
【図２】
2019124073.tif 000004
【図３】
2019124073.tif 000005
【図４】
2019124073.tif 000006
【図５】
2019124073.tif 000007
【図６】
2019124073.tif 000008
【図７】
2019124073.tif 000009
【図８】
2019124073.tif 000010
【図９】
2019124073.tif 000011
【図１０】
2019124073.tif 000012